(57)【要約】【課題】食品の賞味期限を管理することで、食品の効率的な購入の機会を提供する。【解決手段】食品保存庫には食品に付されたシールタグを読み取る読取部と、前記読取部から読み取った商品情報を管理の為の食品情報にするタグリーダと、ネットワークに接続する通信部とを備える構成を有し、食品情報をホームサーバのデータベースに登録する。賞味期限が切れた食品がある場合に、該当食品の賞味期限が切れたことをモバイル端末等に通知し、賞味期限が間近に迫っている食品がある場合に、該当食品の賞味期限が間近に迫っていることおよびその賞味期限年月日をモバイル端末等に通知する。【選択図】図１
2006189991.tif 000002
【特許請求の範囲】
【請求項１】
商品に付されたJANコードから商品情報を読み取る読取部と、前記商品情報を元に食品保存庫で管理する為の食品情報を作成する入力部と、作成した食品情報をシールタグにするシールタグ作成部と、ネットワークに接続する通信部と、それら全体を制御する制御部とを備え、前記入力部は、JANコードから読み取る商品情報に加えて購入場所、購入年月日、賞味期限年月日および賞味期限アラーム年月日等の情報を入力して食品情報を作成する食品管理システムであって、食品保存庫には商品に付されたシールタグから食品情報を読み取らせるシールタグリーダを備え、前記シールタグリーダで読み取られた食品情報を在庫管理データベースに登録する手段と、賞味期限に関する情報をモバイル端末等に通知する手段を備えたことを特徴とする食品管理システム。
【発明の詳細な説明】
【技術分野】
【０００１】
本発明は、商品に付されたJANコードから商品情報を読み取り、その商品情報のデータを有効に活用する食品管理システムに関するものである。
【背景技術】
【０００２】
家庭内の在庫管理の観点から、従来から、冷蔵庫に収納する食品の在庫管理に関する多くの提案がある。例えば、特開２００２-０４９７４３においては、食品の品目を認識して在庫管理を行うとともに、在庫状況を携帯電話機やパソコン等の外部の通信端末に送信することのできる冷蔵庫を提供する。
【０００３】
また、食品保存庫のなかには、庫内の食品が通信端末によって管理されるものもある。例えば、特開２０００−２２２４７６号公報には、ユーザが選択した料理のレシピに示された食材のうち、冷蔵庫の庫内で保存中の食品では不足する食材を、通信回線を介して発注する端末が記載されている。
【０００４】
【特許文献１】特開２００２−０４９７４３号
【特許文献２】特開２０００−２２２４７６号
【発明の開示】
【発明が解決しようとする課題】
【０００５】
在庫管理の従来例では、食品に付されたバーコードリーダを冷蔵庫に出し入れする度に読み取って在庫リストを作成し、これを電子メールで通信用携帯電話機に送信させるため、データを読み取る手間が大変である。そこで、この発明は、タグシールで食品情報を作成することで、食品の賞味期限の管理を携帯電話あるいはPDAなどのモバイル端末に通知し、利用者に食品の効率的な購入の機会を与える。
【０００６】
また、この発明は昨今、問題となっている鳥インフルエンザ、BSEの発生に見られる食品に関わる警告情報を提供することで、消費者への被害予防に寄与する。
【課題を解決するための手段】
【０００７】
本発明では、食品保存庫には商品に付されたJANコードから商品情報を読み取るバーコード読取部と、前記商品情報を元に食品保存庫で管理する為の食品情報を作成する入力部と作成した食品情報をシールタグにするシールタグ作成部とそれら全体を制御する制御部と、ネットワークに接続する通信部とを備えた構成を有している。JANコードから読み取る商品情報に加えて生産地、購入場所、購入年月日、賞味期限年月日および賞味期限間近で警告アラームを挙げたい年月日等の情報を有している。食品を食品保存庫で管理するため、食品に付されたシールタグを食品保存庫内のタグリーダで読み取り、食品情報をホームサーバの在庫管理データベースに登録する構成を有している。
本発明では、前記目的を達成するために、賞味期限が間近に迫っている食品がある場合に、該当食品の賞味期限が間近に迫っていることおよびその賞味期限年月日をXML化してモバイル端末等に通知する。また、賞味期限が切れた食品がある場合に、該当食品の賞味期限が切れたことをモバイル端末等に通知する。
本発明のホームサーバは、ネットワークを介してインターネット/イントラネットから食品に関わる警告情報を入手できる構成を有し、マスメディアからの食品に関わる警告情報を検索し、在庫管理データベースに該当食品がないかマッチングさせる構成を有している。また、検索した食品に関わる警告情報に該当する食品があった場合は、検索した食品に関わる警告情報と該当食品の食品情報をXML化してモバイル端末等に通知する。
【発明の効果】
【０００８】
本発明によれば、JANコードを利用して容易に管理できる食品情報を登録することで、食品の在庫データからポーリングして賞味期限が間近に迫っている食品あるいは賞味期限が切れた食品のデータをXML化して、外出先からモバイル端末で容易に在庫管理でき、利用者は効率的に食品が購入できる。
【発明を実施するための最良の形態】
【０００９】
以下、図面を参照して本発明の実施例を詳細に説明する。
【００１０】
図１から図４を参照して本発明の第１の実施例に係る食品管理システムについて説明する。先ず、図１にて、この食品管理システムの概略を説明する。ネットワーク１０を介して販売店２０とホームシステム２００とモバイル端末２４０を接続し、ホームシステム２００は食品保存庫２１０とホームサーバ２２０で構成される。商品３０にはJANコード３１に付されている。
図２にて、食品保存庫２１０とモバイル端末２４０の構成を示す。食品保存庫２１０は商品３０に付されたJANコード３１から商品情報３１０を読み込む機能を有するバーコード読み取り部２１１と商品情報３１０を表示する表示部２１２とデータ送受信を行う通信部２１３と商品情報３１０を元に管理するための食品情報３２０を入力する入力部２１５と食品情報３２０からシールタグ２１７を作成するシールタグ作成部２１６とそれら全体を制御する制御部２１４から構成される。食品保存庫２１０内にはシールタグリーダ５００があり、シールタグ２１７を読取るタグリーダ５０１とデータ送受信を行う通信部５０２とそれら全体を制御する制御部５０３から構成される。モバイル端末２４０は食品保存庫２１０あるいはホームサーバ２２０等とのデータ通信を行う通信部２４１と商品情報を表示させる表示部２４２と全体を制御する制御部２４３から構成される。
図３にて、シールタグ２17から入手する食品情報３２０を説明する。図３(a)は食品情報３２０の入手経路を説明する説明図である。この実施の形態では、商品３０に貼り付けられたJANコード３１から商品情報３１０を食品保存庫２１０の読取り部２１１を介して入手する。また図３(b)のように、商品情報３１０は、食品管理のために商品に関する情報（品名３１１、生産地３１２、購入場所３１３、購入年月日３１４、賞味期限年月日３１５および賞味期限間近で警告アラームを挙げたい年月日３１６）をプルダウンメニューの選択などにより加えて、この食品情報３２０が在庫管理データベース３００に登録される。在庫管理データベース３００は管理端末２５０およびインターネットを介してモバイル端末２４０からも閲覧できる。
図４にて、賞味期限が間近に迫っている食品あるいは賞味期限が切れた食品を利用者に通知する方法の説明する。例えば、ホームサーバ２２０上で個々の食品情報３２０の賞味期限間近で警告アラームを挙げたい年月日３１６および賞味期限年月日３１５とその時点の日付を比較して、賞味期限が間近に迫っている食品および賞味期限が切れた食品をそれぞれのデータを作成し、XML化してモバイル端末２４０に通知する。
図５にて、本発明の第２の実施例に係る警戒食品の情報提供について説明する。例えば、ホームサーバ２２０がネットワーク１０を介して、マスメディア関連サイトで食品に関わる警告情報を巡回検索により定期的にあげる。警告情報が挙がった場合、食品情報３２０で在庫管理データベース３００にある食品と検索/比較し、当該食品の有無および食品名、個数をモバイル端末に通知する。
なお、上記実施の形態は以下のように捉えることが可能である。
（１）ネットワークを介してホームサーバでインターネット等によりマスメディアからの食品に関わる警告情報を検索し、警告情報と在庫管理データベースとマッチングする機能を備えたことを特徴とする食品管理システム。
（２）（１）に加え、ホームサーバで検索した食品に関わる警告情報に該当する食品があった場合は、検索した食品に関わる警告情報と該当食品の食品情報をモバイル端末等に通知する機能を備えたことを特徴とする食品管理システム。
【図面の簡単な説明】
【００１１】
【図１】本発明での食品管理システムの概略構成図である。
【図２】本発明での食品保存庫とモバイル端末の構成図である。
【図３】本発明での識別タグの商品情報の概略図である。
【図４】本発明での賞味期限間近およびの賞味期限切れの通知方法のフロー図である。
【図５】本発明での警戒食品の情報提供のフロー図である。
【符号の説明】
【００１２】
１０  ネットワーク
２０  販売店
２００  ホームシステム
２１０  食品保存庫
２１１  バーコード読み取り部
２１２  食品保存庫の表示部
２１３  食品保存庫の通信部
２１４  食品保存庫の制御部
２１５  食品保存庫の入力部
２１６  食品保存庫のシールタグ作成部
２１７  シールタグ
５００  シールタグリーダ
５０１  タグリーダ
５０２  通信部
５０３  制御部
２２０  ホームサーバ
３０  商品
３１  JANコード
３１０  商品情報
３２０  食品情報
３００  在庫管理データベース
２５０  管理端末
２４０  モバイル端末
【図１】
2006189991.tif 000003
【図２】
2006189991.tif 000004
【図３】
2006189991.tif 000005
【図４】
2006189991.tif 000006
【図５】
2006189991.tif 000007